(57)【要約】【課題】暗室内に設置しなくとも蛍光観察が可能で、かつコントラストを維持したまま倍率を変更可能な蛍光顕微鏡を提供する。【解決手段】蛍光顕微鏡は、フィルタセットと試料裁置部との間に配置された固定式の対物レンズと、少なくとも試料裁置部と対物レンズとフィルタセットとを覆って外部から試料裁置部に入射する光を遮断する遮光空間を構成する区画部と、フィルタセットの吸収フィルタの出射面に配置され、作動距離を連続的に変化可能なズームレンズで構成された結像レンズ５２と、試料に励起光源から励起光をフィルタセットの励起フィルタを介して照射し、試料から発する蛍光を吸収フィルタを介して結像レンズ５２で受光された蛍光像を結像するための撮像部２２とを備える。これによって、試料やレンズ面を破損する事態を回避し、外乱光の影響を抑えたコントラストの高い蛍光像観察が可能となる。【選択図】図１
2005331888.tif 000002
【特許請求の範囲】
【請求項１】
観察対象である試料を裁置するための試料裁置部と、
光学系を構成する光学部材として、所定の励起フィルタ、ダイクロイックミラーおよび吸収フィルタとを備えるフィルタセットと、
フィルタセットと試料裁置部との間に配置された固定式の対物レンズと、
少なくとも試料裁置部と対物レンズとフィルタセットとを覆って外部から前記試料裁置部に入射する光を遮断する遮光空間を構成する区画部と、
試料に照射する励起光を発する励起光源と、
フィルタセットの吸収フィルタの出射面に配置された結像レンズと、
試料に励起光源から励起光をフィルタセットの励起フィルタを介して照射し、試料から発する蛍光を吸収フィルタを介して結像レンズで受光された蛍光像を結像するための撮像部と、
を備える蛍光顕微鏡であって、
前記結像レンズが、作動距離を連続的に変化可能なズームレンズで構成されてなることを特徴とする蛍光顕微鏡。
【請求項２】
請求項１に記載の蛍光顕微鏡であって、さらに前記撮像部で撮像された蛍光像を表示する表示部を備えることを特徴とする蛍光顕微鏡。
【請求項３】
請求項２に記載の蛍光顕微鏡であって、前記撮像部がＣＣＤカメラであることを特徴とする蛍光顕微鏡。
【請求項４】
請求項１から３のいずれかに記載の蛍光顕微鏡であって、前記蛍光顕微鏡が倒立型の蛍光顕微鏡であることを特徴とする蛍光顕微鏡。
【請求項５】
請求項１から４のいずれかに記載の蛍光顕微鏡であって、前記区画部が蛍光顕微鏡の光学経路を覆う矩形状に構成されてなることを特徴とする蛍光顕微鏡。
【請求項６】
請求項５に記載の蛍光顕微鏡であって、前記区画部の一部に、試料を出し入れするための開口部を備えてなることを特徴とする蛍光顕微鏡。
【請求項７】
請求項１から６のいずれかに記載の蛍光顕微鏡であって、さらに
試料裁置部上の試料に対して励起光を発する励起光源と、
試料に対して照明光を照射するための顕微鏡照明系と、
を備えることを特徴とする蛍光顕微鏡。
【発明の詳細な説明】
【技術分野】
【０００１】
本発明は、試料の蛍光像を撮像して表示する機能を備えた蛍光顕微鏡に関する。
【背景技術】
【０００２】
従来より、細胞の微細構造や分子の局在等を観察するために、蛍光顕微鏡やレーザ顕微鏡が使用されている。蛍光顕微鏡では、試料内の注目する特定の分子に特異的に結合する蛍光分子（蛍光プローブ等と呼ばれ、例えば注目するタンパク質の抗体に蛍光分子を共有結合させたものなどが使用される）を付けて、この分子の分布や動きを観察する。落射蛍光顕微鏡の一例を、図９に基づいて説明する。落射照明は、光源光を対物レンズ９５０を通して照射し、試料Ｗからの蛍光をその対物レンズ９５０を通して観察する照明法である。照明光（励起光）と観察光（蛍光）が対物レンズ９５０の同じ光路を使用し、対物レンズ９５０はコンデンサを兼用している。図９において、落射照明による観察を実現する構成を達成するために、落射蛍光顕微鏡はダイクロイックミラー９１４を用いている。ダイクロイックミラー９１４は一般にダイクロイックキューブ（フィルタセット）と呼ばれる箱状体に、励起フィルタ９１２と吸収（バリア）フィルタ９１６と共にセットされている。光源の照射光は、まず励起フィルタ９１２で余分な波長の光がカットされ、使用する蛍光染料の蛍光分子が吸収する波長の光のみ通過させる。これによって観察の障害となる背景光が減衰される。この励起光は光軸に対して約４５°に傾いたダイクロイックミラー９１４で直角に反射されて対物レンズ９５０を通して試料Ｗに到達する。試料Ｗから発する蛍光は、励起光と逆向きに進んで対物レンズ９５０を通してダイクロイックミラー９１４に到着する。ダイクロイックミラー９１４は、特定波長以下の光を反射して、それ以上長い波長の光を通過する性質を持つので、蛍光はこのミラーを透過する。蛍光を通過した後に、吸収フィルタ９１６により、注目する蛍光以外の波長をカットし、背景ができるだけ暗くなるようにした後、経過光を接眼レンズ９に導く（特許文献１参照）。
【０００３】
このような蛍光観察においては、試料が発する蛍光の強度が励起光の強度に比べて極めて小さいため、顕微鏡照明系以外に外部から入射される光を排除する必要がある。このため、従来は暗室等に蛍光顕微鏡を設置して観察が行われていた。しかしながら、暗室内での作業は面倒であり、また蛍光顕微鏡と接続したコンピュータやモニタなどの画像表示装置が発する光によって蛍光像の像質が低下するという問題があった。これに対して、試料を裁置するステージの周囲をプレートで囲んで遮光部１１０を構成した顕微鏡が開発されている（特許文献２参照）。この顕微鏡は、図１０に示すように、遮光部９４７として、ステージ９２８の前面および両側面からそれぞれステージ９２８上の空間を覆う板状部材９４７ａ、９４７ｂ、９４７ｃと、これらを開閉可能にステージ９２８に取り付ける接合部材９４５と、開状態の板状部材９４７ａ、９４７ｂ、９４７ｃの主平面をステージ９２８の主平面と同一平面に支持するための支柱とを備える。このように遮光部９４７は、ステージ９２８の周囲にプレートを配置して、外部からステージ９２８に入射する光を遮断することで、暗室に蛍光顕微鏡を設置しなくとも使用でき、また顕微鏡に撮像装置やコンピュータ等を接続した場合であっても観察像の像質低下を防止することを可能としている。
【０００４】
しかしながら、このような顕微鏡においては、試料の観察中に倍率を変更する際に暗室を開放して対物レンズ９５１を切り替える必要があるため、この際に外部の光が試料に照射されて暗室状態を維持できなくなるという問題があった。すなわち、図１０に示す蛍光顕微鏡においては、対物レンズをレボルバに装着して、複数の対物レンズを切り替えることによって倍率を変更している。レボルバを手動で回転させる構成では、どうしても暗室内に手を挿入しなければならず、暗室の密閉空間が維持されなくなる。試料に外部から光が差し込むと蛍光像が乱れてコントラストが低下し、また褪色しやすい試料の場合には、これらの光よって試料の褪色が始まってしまう。これを防止するには、結局のところ蛍光顕微鏡を暗室に設置する必要があり、暗室を不要として使い易くした蛍光顕微鏡を実現することができない。
【０００５】
一方、レボルバを電動式とするなどの方法により、自動で対物レンズを切り替える方法も考えられるが、この場合は対物レンズの切り替えによってレンズの先端が試料や試料を裁置したプレパラートに接触してこれらを破損したり、対物レンズのレンズ面を傷付けるおそれがある。対物レンズは、開口率が高くまた高倍率となるほど、レンズ長が長くなる傾向にある。さらに、対物レンズが高倍率となるほど試料と対物レンズとの間の作動距離が短くなる。特に高倍率になると作動距離は１ｍｍ以下となるため、高倍率の観察で対物レンズを切り替えようとすれば、対物レンズの先端が試料やプレパラートに接触してこれらを破損したり、レンズを傷付けるおそれが高くなる。このため、対物レンズの切り替えは対物レンズの先端がプレパラートに接触しないよう、作業者が確認しながら手動で慎重に行っていた。また手動での切り替えの際には、手を挿入するため暗室を開口する必要があり、このとき暗室が失われてしまい、外乱光によって観察像のコントラストが低下する。さらに、暗い暗室内では対物レンズと試料との距離が目視しづらいため、対物レンズが接触したかどうかが確認し難く使い勝手が悪いという問題もあった。このように、高いコントラストを維持したまま倍率をスムーズに変更することは困難であり、暗室状態を維持しながら自動で倍率を変化できる蛍光顕微鏡は従来存在しなかった。
【特許文献１】特開２０００−２２７５５６号公報
【特許文献２】特開２００２−２０７１７７号公報
【発明の開示】
【発明が解決しようとする課題】
【０００６】
本発明は、従来のこのような問題点を解決するためになされたものである。本発明の主な目的は、暗室内に設置しなくとも蛍光観察が可能で、かつコントラストを維持したまま倍率を変更可能な蛍光顕微鏡を提供することにある。
【課題を解決するための手段】
【０００７】
上記の目的を達成するために、本発明の蛍光顕微鏡は、観察対象である試料を裁置するための試料裁置部と、光学系を構成する光学部材として、所定の励起フィルタ、ダイクロイックミラーおよび吸収フィルタとを備えるフィルタセットと、フィルタセットと試料裁置部との間に配置された固定式の対物レンズと、少なくとも試料裁置部と対物レンズとフィルタセットとを覆って外部から試料裁置部に入射する光を遮断する遮光空間を構成する区画部と、試料に照射する励起光を発する励起光源と、フィルタセットの吸収フィルタの出射面に配置された結像レンズと、試料に励起光源から励起光をフィルタセットの励起フィルタを介して照射し、試料から発する蛍光を吸収フィルタを介して結像レンズで受光された蛍光像を結像するための撮像部とを備える。この蛍光顕微鏡では、結像レンズが、作動距離を連続的に変化可能なズームレンズで構成されている。この構成によって、対物レンズを固定式とすることでレボルバやスライダ等による切り替え機構を排除し、対物レンズの切り替え時に試料裁置部上の試料やプレパラートに対物レンズの先端が接触して破損したりレンズ面を傷付ける事態を回避できる。さらにズームレンズを採用することで、対物レンズを切り替えることなく倍率を変更できる。特にズームレンズによって連続的な倍率変更が可能となり、対物レンズ切り替えによる離散的な倍率変更でなくシームレスに倍率を変更して視野探しを容易に行える。さらにまた、区画部で遮光空間を構成することにより、外乱光の影響を抑えたコントラストの高い蛍光像観察が可能となり、特にズームレンズによる自動的な倍率変更を可能とすることによって、レボルバ等の手動切り替え時に遮光状態が損なわれて外乱光による影響を受けることなく、高いコントラストを維持したまま高画質での倍率変更を行うことができる。
【０００８】
また本発明の他の蛍光顕微鏡は、さらに撮像部で撮像された蛍光像を表示する表示部を備える。これによって、目視用の接眼レンズを備えることなく蛍光像を観察できるので、接眼レンズに関する部材を省略して構成を簡素化でき、コンパクトで安価な蛍光顕微鏡を実現できる。
【０００９】
さらに本発明の他の蛍光顕微鏡は、撮像部がＣＣＤカメラである。ＣＣＤカメラによって蛍光像を結像して表示できる。特に人間の目よりも高感度なＣＣＤカメラを使用すれば、目で認識できない蛍光像でも表示させて観察することが可能となる。
【００１０】
さらにまた本発明の他の蛍光顕微鏡は、蛍光顕微鏡を倒立型の蛍光顕微鏡としている。正立顕微鏡では試料を生きたまま観察することが困難であるが、倒立型の蛍光顕微鏡とすることにより、試料を生きたままで観察することが可能となる。さらに倒立型の蛍光顕微鏡では一般に、倒立して試料の下型に配置された対物レンズを介して得られた蛍光を、観察者の目の高さまで上向きに偏光する必要があるため、偏光ミラー等でＵ字状の光路を構成するためにシステムが大型化、複雑化し、高価になるという欠点があった。これに対して、目視用の接眼レンズを設けない構成を採用することで接眼レンズや光軸変更のためのミラーなどの部材を省略でき、よりコンパクトな倒立型蛍光顕微鏡を実現できるという利点が得られる。
【００１１】
さらにまた本発明の他の蛍光顕微鏡は、区画部が蛍光顕微鏡の光学経路を覆う矩形状に構成されている。これによって、矩形状の区画部内部に光学経路を構成する各部材を配置して、光学経路に外部からの光が干渉しないよう遮光状態を維持できる。
【００１２】
さらにまた本発明の他の蛍光顕微鏡は、区画部の一部に、試料を出し入れするための開口部を備えている。これによって、開口部を開口して試料を試料裁置部に裁置あるいは交換することができ、試料をセットした後は開口部を閉塞して区画部内部を遮光された遮光空間に維持して、高コントラストで倍率を変更しながら試料を観察できる。
【００１３】
さらにまた本発明の他の蛍光顕微鏡は、試料裁置部上の試料に対して励起光を発する励起光源と、試料に対して照明光を照射するための顕微鏡照明系とを備える。
【発明の効果】
【００１４】
本発明の蛍光顕微鏡によれば、試料を外部の光から遮光することにより暗室内に設置しなくとも高いコントラストで蛍光像観察が可能で、さらに余計な退光も防止できる。加えて、従来の蛍光顕微鏡では倍率変更のために対物レンズをレボルバやスライダ等で手動により切り替える必要があり、その際に遮光空間が損なわれてコントラスト低下を生じ、また倍率変更に手間がかかり、さらに切り替えの際に対物レンズで試料などを破損しないよう慎重に行わねばならないといった問題があったが、これに対して本発明の蛍光顕微鏡ではズームレンズを使用することにより自動で倍率変更が可能であり、一旦試料をセットして遮光空間を構成すれば、遮光状態を維持したまま倍率変更が容易に行え、高いコントラストを維持しつつ、また対物レンズを固定式とすることで倍率変更時に試料に接触するおそれもなく、安全にかつ高画質で観察できるという優れた利点が得られる。
【発明を実施するための最良の形態】
【００１５】
以下、本発明の実施の形態を図面に基づいて説明する。ただし、以下に示す実施の形態は、本発明の技術思想を具体化するための蛍光顕微鏡を例示するものであって、本発明は蛍光顕微鏡を以下のものに特定しない。特に本明細書は、特許請求の範囲に示される部材を、実施の形態の部材に特定するものでは決してない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（倒立型蛍光顕微鏡）
【００１６】
図１に、本発明の一実施の形態に係る蛍光顕微鏡のブロック図を示す。この図に示す蛍光顕微鏡は倒立型の蛍光顕微鏡を示している。以下の例では、蛍光顕微鏡を用いて、試料Ｗ（標本、検体、サンプル等とも呼ばれる）に複数の蛍光染料（蛍光色素）を導入して多色で染色、発現させる多色蛍光観察を行う例について説明する。この図に示す蛍光顕微鏡１００は、励起光源４８、コレクタレンズ５４、フィルタセット１、対物レンズ５０、結像レンズ５２、撮像部２２を備える。これらの部材は一定の光路上に配置される。励起光源４８は蛍光染料を励起する励起光を発する。例えば高圧水銀ランプや高圧キセノンランプなどが用いられる。これらは、幅広い波長の光を放出する。また励起光源４８として、低消費電力で小型、高効率の発光ダイオードを用いることもできる。また励起光源などの部材はユニット化し、ユニットを組み合わせて蛍光顕微鏡システムを構成することもできる。ユニット化することにより、蛍光顕微鏡システムの設置や運搬、メンテナンスが容易になる。これらの励起光源４８からの照明光は、コレクタレンズ５４でほぼ平行な光束にされてフィルタセット１に励起光として導入される。コレクタレンズ５４は、落射照明の場合蛍光落射照明レンズ等が利用できる。なお以下の例では試料の照明を落射照明型とするが、同様に透過型照明や全反射照明型等他の照明方法についても本発明は適用可能である。
【００１７】
フィルタセット１は、特定の蛍光染料の観察に適した波長の光を選択的に透過するシングルパスのフィルタおよびミラーの組み合わせであり、図に示すように励起フィルタ１２と吸収フィルタ１６とダイクロイックミラー１４を備える。さらにフィルタセット１は、複数種類が切り替え可能に構成されている。各フィルタセット１は、使用する蛍光染料に応じた励起フィルタ１２と吸収フィルタ１６とダイクロイックミラー１４の組み合わせからなり、これらを切り替えることでそれぞれ異なる単色画像を撮像できる。複数のフィルタセット１はフィルタホルダ５６にセットされ、フィルタ切替部１８で切り替えられる。フィルタセット１の励起フィルタ１２で選択された励起光はダイクロイックミラー１４で反射され、対物レンズ５０を通過して試料Ｗに投射される。
（対物レンズ５０）
【００１８】
対物レンズ５０は、コンデンサレンズを兼用している。この対物レンズ５０は、従来のように複数の対物レンズをレボルバなどにより択一的に切り替える方式とせず、一種類の対物レンズを固定している。なお、対物レンズ５０はネジ止めや係止片などの固定手段により固定されているが、固定手段を解除して脱着できるので、観察目的に応じて対物レンズ５０を外して交換することは可能である。例えば位相差観察用、微分干渉観察用、明視野観察、暗視野観察用等の専用の対物レンズに交換でき、油浸対物レンズや水浸レンズ、ドライレンズ、カバースライド標本用、ノンカバースライド用等、観察目的や用途に応じて適切な対物レンズを装着できる。図の例においては対物レンズ５０をネジ止め式に固定しており、ネジを緩めて対物レンズ５０を取り外し、取り替えることで様々な用途に応じた対物レンズ５０に交換できる。
（遮光空間４６）
【００１９】
試料Ｗは、試料載置部２８に載置される。一般に蛍光試料などの微弱光試料の観察は、外乱光を排除する必要があるため暗室で行われる。本実施の形態に係る蛍光顕微鏡１００は、試料載置部２８および対物レンズ５０、フィルタセット１を外乱光から遮断された遮光空間に配置し、この遮光空間４６を暗室状態とすることにより、暗室を用意することなく蛍光観察を行える蛍光顕微鏡とし、使い勝手を改善している。試料載置部２８はＸＹステージなどが利用でき、Ｘ軸、Ｙ軸方向に移動可能である。また試料載置部２８は上下方向（Ｚ軸方向）にも移動可能とすることにより、光学系１０との相対距離を変化させてフォーカスの調整を可能としている。
（区画部４７）
【００２０】
遮光空間を構成する区画部４７は、図２に示すように箱状に構成する。この図に示すように、箱状の区画部４７で試料載置部２８および対物レンズ５０、フィルタセット１を覆うことにより、外部からの光を確実に遮光できる。図２（ａ）に示す区画部４７は、蛍光顕微鏡全体を覆うように構成しているが、図１のブロック図に示すように蛍光顕微鏡の内、試料載置部２８、対物レンズ５０、フィルタセット１の部分のみを覆うように、プレート等で囲むこともできる。また、試料の装着や交換を行うために、区画部４７の一部には開口可能な開口部４７ｂを形成している。開口部４７ｂは、図２（ｂ）および（ｃ）に示すように蓋の一部をクランク式に回動させて前方にせり出した状態から下方に移動される。これにより試料をセットしたプレパラートなどを試料裁置部２８に裁置し交換できる。開口部４７ｂは、このように蓋部分をクランク式に回動させる方式の他、上下方向にスライド式に開口させる方式や、左右にスライドする引き戸式としたり、開口部４７ｂの側面に設けたヒンジで扉部分を開閉可能とする開き戸式、開口部分を閉塞するパネルを取り外す方式等としてもよい。また、図２（ｂ）の例では区画部４７の正面側壁の一部に開口部４７ｂを設けているが、一面全体を開閉させるように構成してもよい。また区画部の形状は、中空の直方体状とする他、円柱状、半円柱状、三角柱などの角柱状とすることもでき、また適宜面取するなどの変形を加えてもよい。
【００２１】
このように、試料を試料裁置部にセットあるいは交換する際は開口部４７ｂを開口でき、試料を一旦セットした後は開口部４７ｂを閉塞して区画部４７内部を遮光された遮光空間に維持できるので、蛍光顕微鏡を暗室内に設置することなく高コントラストでの蛍光観察が可能となる。例えば蛍光顕微鏡に接続したコンピュータやモニタの光によって蛍光が影響を受けることなく、また褪色し易い試料の褪色を防止し、さらに暗室内での作業を不要とすることで設置の自由度が高まり、加えて手元が明るく操作や作業が行い易くなる。さらにまた、後述するようにズームレンズを採用することで暗室を維持したまま倍率変更が行え、高像質の蛍光像を観察しながら所望の倍率に調整できるという優れた操作環境が実現される。
【００２２】
試料Ｗに含まれる蛍光染料の内、照射された励起光に対応する蛍光染料が蛍光を発し、この蛍光が対物レンズ５０を通過してフィルタセット１に入射され、ダイクロイックミラー１４を通過する。このようにダイクロイックミラー１４は、照明光を反射して蛍光を透過する。さらに吸収フィルタ１６で蛍光を通過し、照明光等蛍光以外の光成分を選択的に吸収する。吸収フィルタ１６はバリアフィルタとも呼ばれ、ダイクロイックミラー１４よりも蛍光像の形成面側に配置される。フィルタセット１を出た光は結像レンズ５２を通過して撮像部２２に入射される。撮像部２２は対物レンズ５０の焦点面と共役な位置に配置される。この撮像部２２は蛍光を電気信号に変換し、この信号に基づいて画像が生成され、表示部２４にて表示される。このため撮像部２２は撮像素子で構成され、ＣＣＤカメラ等の半導体撮像素子が好適に利用できる。ＣＣＤカメラは２次元上に配列されており、レーザ顕微鏡のように画面を順次走査することなく一画面を同時に撮像できる。ＣＣＤカメラは冷却することでノイズ特性を向上できるので、ペルチエ素子や液体窒素等で冷却する機構を備えるＣＣＤカメラを使用してもよい。以上のように蛍光顕微鏡は、シングルパスのフィルタセット１をフィルタ切替部１８によって自動で切り替えでき、各フィルタセット１で撮像した単色画像と、これらを重ね合わせた重ね合わせ画像を、同時に表示できる。
（フィルタセット１）
【００２３】
フィルタセット１は、一般にダイクロイックキューブと呼ばれる箱状体に、励起フィルタ１２と吸収フィルタ１６とダイクロイックミラー１４の組を含んでいる。フィルタセット１は、試料Ｗに導入する蛍光染料に応じて励起フィルタ１２、ダイクロイックミラー１４、吸収フィルタ１６の組み合わせが決定される。蛍光染料で発現される色のみが正しく観察できるように、所望の波長成分の光を抽出し他の波長成分を排除するよう、シングルパスのバンドパスフィルタの組み合わせが決定される。したがって、使用される蛍光染料に応じて、使用されるフィルタセット１は決定される。一般には各々蛍光色の異なるフィルタセット１が使用され、例えばＲＧＢ、ＣＭＹなど、蛍光色素に応じた色の組み合わせが適宜採用できる。ここで、フィルタセットの組み合わせとして代表的な蛍光色素とその励起フィルタ、吸収フィルタの組み合わせの一覧を図３に示す。図３において、蛍光色素の試薬名（通称）とその励起光の波長、および吸収光の波長を、帯域中の主要なピーク値で示している。複数のフィルタセット１はフィルタ切替部１８により切り替え可能に構成されている。複数のフィルタセット１はフィルタホルダ５６にセットされ、フィルタ切替部１８により複数のフィルタセット１のいずれか一を光路上にセットさせる。フィルタ切替部１８は、モータなどの駆動により回転式あるいはスライド式にフィルタセット１を切り替えるターレットなどが利用できる。フィルタ切替部１８の制御は切替設定部２０により設定される。フィルタセット１を使用して必要な組の励起フィルタ１２、吸収フィルタ１６、ダイクロイックミラー１４を一括して切り替えることができ、切り替え動作部分を一箇所にまとめて高速動作やメンテナンスを容易にすることができる。ただ、励起フィルタ、吸収フィルタ、ダイクロイックミラーが組になったフィルタセットを使用することなく、複数の励起フィルタ、吸収フィルタ、ダイクロイックミラーをそれぞれ個別に切り替える個別の切替手段を設け、各切替手段を連動して制御することによって所定の組の励起フィルタ、吸収フィルタ、ダイクロイックミラーを光路上に配置する構成としてもよい。さらには、フィルタ類を移動させることなく、ミラーなどで光路を変更することでも実質的にフィルタ類を切り替えて撮像することが可能である。
【００２４】
また蛍光顕微鏡を利用して多色蛍光観察を行う方法としては、蛍光顕微鏡にＣＣＤカメラなどの撮像素子を装着して、複数の蛍光色素を同時に観察できるデュアル、トリプルバンドパスフィルタを使用する方法や、使用する蛍光色素それぞれに対応したシングルパス（単色用）のフィルタセットを切り替えて使用する方法等も適宜利用できる。
（表示部２４）
【００２５】
表示部２４は、光学系１０で撮像された画像を表示するディスプレイである。表示部２４を構成するディスプレイは、高解像度表示が可能なモニタであり、ＣＲＴや液晶パネル等が利用される。表示部２４は、蛍光顕微鏡に組み込みあるいは外付けされたモニタの他、図４に示すように蛍光顕微鏡２００に接続された外部接続機器５８で表示させるようにしてもよい。例えば外部接続機器５８としてコンピュータ５８Ａを使用する場合、コンピュータ５８Ａのモニタ２４Ａにて表示部の機能を実現することができる。もちろん、蛍光顕微鏡２００側および外部接続機器５８側の両方で複数の表示部を利用することもできる。
【００２６】
次に、表示部２４の表示画面の一例を図５に示す。図５は、蛍光顕微鏡画像表示プログラムのＧＵＩイメージを示す一例である。この図に示すように、表示部２４は複数の画像表示領域Ｇを備えており、各画像表示領域Ｇで異なる画像を表示し、複数の画像を同時に表示して対比させることができる。特に、本実施の形態においては画像表示領域Ｇの一を重ね合わせ画像表示領域Ｏとして、各フィルタセットで観察された画像を重ね合わせた重ね合わせ画像を表示することができる。これにより、各フィルタセットで観察された画像と、これらの重ね合わせ画像とを同一画面で比較することができる。特に後述するように、本実施の形態においてはほぼリアルタイムで各画像を表示できるため、様々な条件での試料の状態を容易に観察することが可能となる。図５の例では４枚の画像表示領域Ｇとし、その内の１枚を重ね合わせ画像表示領域Ｏとしている。もちろん、画像表示領域は３枚以下、あるいは５枚以上とすることもできる。好ましくは、フィルタホルダにセットされたフィルタセットの数に、重ね合わせ画像表示用を加えた数の画像表示領域とすることで、すべてのフィルタセットとこれらの重ね合わせ画像を一画面で同時に観察できる。もちろん、選択した任意の画面を拡大表示したり、拡大表示画面を各フィルタセット毎、あるいは重ね合わせ画像に切り替えて表示させることもできる。またすべての画像を同一画面で表示させる必要はなく、各画像毎に別ウィンドウで表示させたり、あるいは全画面表示に切り替えることもできる。このように表示の態様は、フィルタセットの数や観察目的、ユーザの嗜好等に応じて適宜変更できる。図５の例においては、蛍光染料１〜３にそれぞれ対応した３つのフィルタセットをフィルタホルダ５６にセットし、これらを切り替えて撮像した各単色画像と、単色画像を重ね合わせた重ね合わせ画像を表示する例を示している。
（画像調整部４０）
【００２７】
また、図５に示す設定画面は、撮像された画像を調整する画像調整部４０を備えている。この図に示す設定画面の例においては、画像調整部４０として視野移動のための位置、高さ、倍率、明るさ、コントラスト等の画像調整パラメータを調整するためのスイッチ類を、画像表示領域Ｇの右側に設けている。またこれらの画像調整パラメータは、ユーザが調整する他、自動的に最適に設定することもできる。例えば露光時間を自動的に調整する「ワンタッチ・オート」ボタンや、焦点を自動調整する「ワンタッチ・フォーカス」ボタンなどを備える。各画像調整パラメータの調整の内、位置の調整はＸＹ方向への移動であり、表示中の画像の視点を移動できる。例えば画像表示領域Ｇの画面で任意の位置をマウスでドラッグし、所望の方向に移動させることによって位置すなわち視点を移動できる。マウスの移動量に従って、試料載置部２８はＸＹ方向に移動される。また上下左右ボタンや十字ボタンを用いて移動させることもできる。さらに現在表示中の視点が、表示可能な領域のどの部分に位置するかを表示するガイドを設けることもできる。
【００２８】
また高さの調整はＺ方向すなわち試料Ｗと光学系１０（対物レンズ５０）の相対距離であり、これによって画像のフォーカスが調整される。高さ指定部で高さを調整することにより、試料載置部２８を上下に移動させる。高さや倍率などの調整は、スライダやレベルメータ、スケール等を使用して連続的、視覚的に調整できる。図５の例では高さ指定部としてスライダ３２Ａを使用している。なお、いずれの場合も試料載置部２８を移動させて調整しているが、光学系１０を移動させても同様の結果が得られることはいうまでもない。
（ズームレンズ）
【００２９】
倍率の調整は、結像レンズ５２によって行われる。結像レンズ５２は、フィルタセット１の吸収フィルタ１６からの蛍光を結像させるレンズであり、フィルタセット１と撮像部２２との間に配置されている。この例では結像レンズ５２をズーム変倍レンズとしており、一の結像レンズ５２を使って例えば倍率を１０倍〜１００倍に連続的に可変することができる。なお対物レンズ及び結像レンズの倍率、開口数、作動距離等は、観察目的や条件に応じて適切な値に設定される。結像レンズ５２により結像された蛍光像は撮像部２２に投影され、電気信号に変換されて外部接続された表示部２４に表示される。また、蛍光像の画像データは、コンピュータ５８Ａ等の外部接続機器５８に取り込まれて処理される。処理条件や処理結果は、コンピュータ５８Ａのディスプレイに表示される。なおコンピュータディスプレイ５８Ａと表示部を兼用することもできる。観察者は、表示部により蛍光像を観察でき、さらにコンピュータ５８Ａを操作して、蛍光像に所望の処理を施し、その結果を表示部やディスプレイで観察できる。
（接眼レンズの排除）
【００３０】
図１に示すように、本発明の倒立型の蛍光顕微鏡においては、目視用の接眼レンズを省略することで、倒立型蛍光顕微鏡の構成を簡素化することができる。従来の倒置型蛍光顕微鏡では、試料裁置部の下方に設けられた対物レンズやフィルタセットを介して得られる蛍光を、偏光ミラーなどで上向きに光路を偏光することで使用者の目の高さに接眼レンズを配置するよう構成しており、このように光路を折曲して延長させるために構成が複雑になり、システムが大型化しコストアップの要因となっていた。そこでこのような接眼レンズを排除し、撮像部で撮像された画像を表示する表示部を外部に接続する構成とすることで、システムを簡素化して装置の小型化を実現している。
【００３１】
一方で、従来の蛍光顕微鏡では、対物レンズの視野範囲の中で撮像部で撮像できる視野範囲は小さくなるため、程よい倍率で高いＮＡの対物レンズをバランスよく選択すれば、大きなＮＡでかつ視野範囲を確保できる。本システムでは使用頻度の高い１０〜６０倍観察を実現するため、２０倍でＮＡ０．７５のアポクロマート対物レンズを選択し、ズームレンズでは０．５倍（縮小）〜３倍（拡大）の倍率に設定して、標準仕様１０〜６０倍のＮＡとほぼ同等の性能を実現した。
（他の実施の形態）
【００３２】
図６に、本発明の他の実施の形態に係る倒立型蛍光顕微鏡のブロック図を示す。この図において、図１と同一の部材名についてはほぼ同一の部材を採用しており、詳細説明を省略する。図６の構成において図１との主な相違点は、結像レンズ５２Ｂの光軸の偏光である。図１に示す構成では、略水平方向から照射される励起光に対して、蛍光を略垂直方向に配置していたため、水平方向と垂直方向に共に延長された構成となり、蛍光顕微鏡装置の外形が大きくなる。これに対して図６の構成では、蛍光を受ける結像レンズ５２Ｂを水平方向に配置して、その先に撮像部としてＣＣＤカメラ２２Ｃを配置することにより、垂直方向への突出を抑えることができ、蛍光顕微鏡装置全体のサイズをコンパクトにできる利点が得られる。特に水平方向には励起光の経路が配されている構成上本来的に長くなるため、これに合わせて蛍光の取り出し経路も水平方向に配置することにより、水平方向にのみ長く、垂直方向への突出を抑制できる。なお、水平方向と垂直方向を入れ替えることも可能であることはいうまでもなく、励起光および蛍光の光路を垂直方向とすることで垂直方向に長く、水平方向への突出を抑えたコンパクトな蛍光顕微鏡を構成することができる。あるいは斜め方向に励起光及び蛍光の光路を揃えることも可能である。なお、励起光及び蛍光の経路は平行とせず、ねじれの位置となるように配置して交差しないようにすることが好ましい。これらを平行に配置すると、励起光と蛍光が干渉して、クロストークにより正しい結像が得られなくなるおそれがあるため、これらをねじれの位置となるよう配置することで、干渉を防止し、かつ離間させることなく近接して配置でき、装置の小型化、コンパクト化に寄与し得る。
（正立型蛍光顕微鏡）
【００３３】
なお上記の例では、倒立型の蛍光顕微鏡について説明したが、正立型の蛍光顕微鏡においても本発明を適用できることはいうまでもない。図７に、本発明のさらに他の実施の形態に係る蛍光顕微鏡として、正立型の蛍光顕微鏡を示す。この図に示すように、正立型蛍光顕微鏡は試料裁置部の上方に対物レンズ５０及びフィルタセット１を配置している。またこの蛍光顕微鏡では、光学系１０の光路をすべて区画部４７で囲んで遮光空間を構成し、区画部４７を蛍光顕微鏡全体を覆う箱状のケースとしている。これによって顕微鏡照明系以外の外乱光を完全に遮断でき、高品質な蛍光画像観察が可能となる。
（制御系６４）
【００３４】
次に蛍光顕微鏡の制御系６４を構成するブロック図の一例を、図８に示す。なおこの図においては光学系１０の詳細表示を省略している。この図に示すように、蛍光顕微鏡は撮像系６６として、試料Ｗを載置する試料載置部２８の一形態であるステージ２８Ａと、ステージ２８Ａを移動させるステージ昇降器３０Ａと、励起光源４８（図８に図示せず）からステージ２８Ａ上に載置された試料Ｗに対して照射された励起光により蛍光染料を励起し、蛍光を撮像部２２上に結像させる光学系１０と、撮像部２２の一形態として、ステージ２８Ａに固定された試料Ｗから光学系１０を介して入射される蛍光を２次元状に配置された画素毎に電気的に読み取るＣＣＤ２２Ａと、ＣＣＤ２２Ａを駆動制御するＣＣＤ制御回路２２Ｂとを備える。ステージ昇降器３０Ａは、高さ調整部３０の一形態であり、例えばステッピングモータ３０ａと、ステッピングモータ３０ａの昇降を制御するモータ制御部３０ｂで構成される。ステッピングモータ３０ａは、光軸方向のＺ軸方向、および光軸方向と垂直な面内であるＸＹ方向にステージ２８Ａを移動させる。
【００３５】
また、これらの撮像系６６を制御する制御系６４として、撮像系６６とデータ等の電気信号を通信などの手段によりやりとりするためのインターフェイス部６８と、撮像部２２によって電気的に読み取られた画像データを保持するためのメモリ部３４と、撮像、合成された画像や各種設定等を表示するための表示部２４と、表示部２４上に表示される画面に基づいて入力、設定その他の操作を行うための操作部７０と、操作部７０で設定された条件に従い撮像系６６を制御して撮像を行うと共に、取得された画像データを合成して立体画像を生成、あるいは画像処理その他の各種処理を行う制御部２６とを備える。以上の撮像系６６と制御系６４は、蛍光顕微鏡に含めることで蛍光顕微鏡装置のみで動作を完結させることもできるし、図４に示すように、コンピュータ５８Ａなどの外部接続機器５８を蛍光顕微鏡２００に接続し、蛍光顕微鏡２００で撮像系を、外部接続機器５８で制御系を機能させることもできる。また撮像系と制御系は構成部材を厳密に区別するものでなく、例えばメモリ部を撮像系に持たせたり、逆にＣＣＤ制御回路やモータ制御部を制御系に持たせてもよい。
【００３６】
操作部７０は蛍光顕微鏡システムを構成する蛍光顕微鏡もしくはコンピュータと有線もしくは無線で接続され、あるいはコンピュータに固定されている。一般的な操作部としては、例えばマウスやキーボード、スライドパッド、トラックポイント、タブレット、ジョイスティック、コンソール、ジョグダイヤル、デジタイザ、ライトペン、テンキー、タッチパッド、アキュポイント等の各種ポインティングデバイスが挙げられる。またこれらの操作部は、蛍光顕微鏡画像表示プログラムの操作の他、蛍光顕微鏡やその周辺機器の操作にも利用できる。さらに、インターフェース画面を表示するディスプレイ自体にタッチスクリーンやタッチパネルを利用して、画面上をユーザが手で直接触れることにより入力や操作を可能としたり、または音声入力その他の既存の入力手段を利用、あるいはこれらを併用することもできる。図８の例では、操作部７０はマウスを備える（図４参照）。マウスによって、高さ指定部３２であるスライダ３２Ａを操作したり、画像に対して合焦点位置合わせ等の各種操作を行える。このように表示部２４で画像と共に操作メニューや設定などを表示させ、イメージ上で操作項目を選択したり操作を行うことによりユーザは操作内容や状態などを正確に把握でき、操作ミスも防止でき、また感覚的で操作しやすい操作体系が実現される。
【産業上の利用可能性】
【００３７】
本発明の蛍光顕微鏡は、例えば患者の血清と細胞核とを反応させ、蛍光標識を加えて蛍光顕微鏡で坑核坑体を観察し、坑核坑体の蛍光により陽性、陰性を判定する蛍光抗体検査等に利用可能である。
【図面の簡単な説明】
【００３８】
【図１】本発明の一実施の形態に係る蛍光顕微鏡を示すブロック図である。
【図２】図１の蛍光顕微鏡の区画部を示す斜視図である。
【図３】代表的な蛍光色素とその励起光、蛍光波長を示す一覧図である。
【図４】本発明の他の実施の形態に係る蛍光顕微鏡システムを示すブロック図である。
【図５】表示部の表示画面の一例を示すイメージ図である。
【図６】本発明の他の実施の形態に係る蛍光顕微鏡を示すブロック図である。
【図７】本発明のさらに他の実施の形態に係る蛍光顕微鏡を示すブロック図である。
【図８】本発明の他の実施の形態に係る蛍光顕微鏡の制御系を示すブロック図である。
【図９】従来の落射蛍光顕微鏡を示すブロック図である。
【図１０】従来の他の蛍光顕微鏡を示す正面図である。
【符号の説明】
【００３９】
１００、２００…蛍光顕微鏡
１…フィルタセット
９…接眼レンズ
１０…光学系
１２…励起フィルタ
１４…ダイクロイックミラー
１６…吸収フィルタ
１８…フィルタ切替部
２０…切替設定部
２２…撮像部
２２Ａ…ＣＣＤ；２２Ｂ…ＣＣＤ制御回路；２２Ｃ…ＣＣＤカメラ
２４…表示部；２４Ａ…モニタ
２６…制御部
２８…試料載置部；２８Ａ…ステージ
３０…高さ調整部；３０Ａ…ステージ昇降器
３０ａ…ステッピングモータ；３０ｂ…モータ制御部
３２…高さ指定部；３２Ａ…スライダ
３４…メモリ部
４０…画像調整部
４４…インジケータ
４６…暗室空間
４７…区画部；４７ｂ…開口部
４８…励起光源
５０…対物レンズ
５２、５２Ｂ…結像レンズ
５４…コレクタレンズ；５６…フィルタホルダ
５８…外部接続機器；５８Ａ…コンピュータ
６４…制御系；６６…撮像系；６８…インターフェイス部
７０…操作部
９１２…励起フィルタ；９１４…ダイクロイックミラー
９１６…吸収フィルタ；９２８…ステージ
９４５…接合部材；９４７…遮光部；９４７ａ、９４７ｂ、９４７ｃ…板状部材
９５０、９５１…対物レンズ
Ｗ…試料；Ｇ、Ｇ１〜Ｇ４…画像表示領域；Ｏ…重ね合わせ画像表示領域
【図１】
2005331888.tif 000003
【図２】
2005331888.tif 000004
【図３】
2005331888.tif 000005
【図４】
2005331888.tif 000006
【図６】
2005331888.tif 000007
【図７】
2005331888.tif 000008
【図８】
2005331888.tif 000009
【図９】
2005331888.tif 000010
【図１０】
2005331888.tif 000011
【図５】
2005331888.tif 000012